(57)【要約】【課題】美観を損ねることなく電子機器の廃棄時に二次電池や電気部品などの分離物の取り外し操作を簡単に行なえる電子機器を提供する。【解決手段】  ケース１０２内部に設けられたバッテリー収容室１４は、ケース１０２の下面に開放された矩形状の第１の開口１５から矩形板状のバッテリー１３８が装脱可能に収容されるように構成されている。第１の開口１５近傍の一方の側壁１８０８箇所には第２の開口２０が設けられ、ケース１０２の内部にはこの第２の開口２０に通じる部品収容空間２４が設けられている。円盤状の二次電池１４０はホルダ２６に装脱可能に実装され、ホルダ２６とともに部品収容空間２４に収容される。【選択図】        図６
2005123051.tif 000002
【特許請求の範囲】
【請求項１】
外装を構成するケースと、
前記ケースの内部に設けられ前記ケースの外面に開放された第１の開口から部品が装脱可能に収容される部品収容室とを有する電子機器であって、
前記部品収容室を形成する壁部に第２の開口が設けられ、
前記ケースの内部に前記第２の開口に通じる部品収容空間が設けられ、
前記第２の開口に装脱可能に取着されて該第２の開口を閉塞する第１の板部と、前記第１の板部から突出し該第１の板部が前記第２の開口を閉塞した状態で前記部品収容空間に延在する第２の板部とを備えたホルダが設けられ、
前記ホルダには、該電子機器の廃棄時に該電子機器から分離しなければならない二次電池や電気部品などの分離物が保持され、
前記第１の開口、部品収容室、第２の開口は、前記分離物が保持されたホルダを前記部品収容空間から前記ケースの外部に移動できる大きさで形成されている、
ことを特徴とする電子機器。
【請求項２】
前記第１の板部が第２の開口を閉塞した状態で、前記第１の板部の表面は、前記第２の開口の周囲の壁面と同一面になるように形成されていることを特徴とする請求項１記載の電子機器。
【請求項３】
前記第１の板部が第２の開口を閉塞した状態で、前記第１の板部の端部は前記第１の開口に臨み、この第１の開口に臨む前記第１の板部の端部には、マイナスドライバーなどのような引っ掛け具が係止される溝が形成されていることを特徴とする請求項１記載の電子機器。
【請求項４】
前記第２の開口は、前記第１の開口の近傍に設けられていることを特徴とする請求項１記載の電子機器。
【請求項５】
前記部品収容室は、前記電子機器に電力を供給する充電式電池あるいは乾電池の収容室であることを特徴とする請求項１記載の電子機器。
【請求項６】
前記部品収容室は、前記電子機器との間でデータのやりとりを行なう記憶媒体、または前記電子機器と電気的に接続されることにより動作するアダプタの収容室であることを特徴とする請求項１記載の電子機器。
【請求項７】
前記分離物はフレキシブル基板あるいはリード線を介して前記電子機器に設けられた回路部に接続され、前記保持部材とともに前記分離物を前記収容空間からケースの外部に引き出すことにより前記フレキシブル基板あるいはリード線は破断されるように構成されていることを特徴とする請求項１記載の電子機器。
【請求項８】
前記第１の開口を開閉する開閉蓋が設けられていることを特徴とする請求項１記載の電子機器。
【請求項９】
前記部品収容室は前記ケースに組み込まれたハウジング内に設けられ、前記壁部および第１の開口並びに第２の開口は前記ハウジングに設けられていることを特徴とする請求項１記載の電子機器。
【発明の詳細な説明】
【技術分野】
【０００１】
本発明は電子機器に関する。
【背景技術】
【０００２】
近年、各国において電池のリサイクルに対する法律が施行され、電子機器を廃棄する際に該電子機器に組み込まれた電気部品やバックアップ用の二次電池などを、ユーザーが電子機器から簡単に取り外し該電子機器から分離することができる構造が求められている。
例えば、電子機器の外装を構成するケース内部に配設されたプリント基板上に二次電池を着脱可能に取付けておくとともに、該二次電池に臨むケース部分に電池取出し用の開口を設け、この開口を蓋によって閉塞する構成が開示されている（例えば特許文献１参照）。
このような電子機器では、前記蓋を開口から取り外し、二次電池をプリント基板から外し、ケース外部へ引き出すことによって二次電池の電子機器からの分離を行なう。
【特許文献１】特開平８−２５５６０６号公報
【発明の開示】
【発明が解決しようとする課題】
【０００３】
しかしながら上述の電子機器では、ケースの外方に前記開口や蓋が臨んでいるため、電子機器の美観を損ねる不具合があった。
また、このような開口や蓋を設けず、ケースを分解してから二次電池を取出す構造とすることも考えられるが、この場合には二次電池の取出し作業が面倒となり現実的ではない。
本発明はこのような事情に鑑みなされたものであり、美観を損ねることなく電子機器の廃棄時に二次電池や電気部品などの分離物の取り外し操作を簡単に行なえる電子機器を提供することにある。
【課題を解決するための手段】
【０００４】
上述の目的を達成するため、本発明の電子機器は、外装を構成するケースと、前記ケースの内部に設けられ前記ケースの外面に開放された第１の開口から部品が装脱可能に収容される部品収容室とを有する電子機器であって、前記部品収容室を形成する壁部に第２の開口が設けられ、前記ケースの内部に前記第２の開口に通じる部品収容空間が設けられ、前記第２の開口に装脱可能に取着されて該第２の開口を閉塞する第１の板部と、前記第１の板部から突出し該第１の板部が前記第２の開口を閉塞した状態で前記部品収容空間に延在する第２の板部とを備えたホルダが設けられ、前記ホルダには、該電子機器の廃棄時に該電子機器から分離しなければならない二次電池や電気部品などの分離物が保持され、前記第１の開口、部品収容室、第２の開口は、前記分離物が保持されたホルダを前記部品収容空間から前記ケースの外部に移動できる大きさで形成されていることを特徴とする。
【発明の効果】
【０００５】
そのため、本発明によれば、第２の開口やホルダがケースの外方に露出しないため、電子機器の美観を損ねることがなく、また、電子機器の廃棄時にはホルダとともに二次電池や電気部品を部品収容空間から取出せるのでこれら二次電池や電気部品の取り外し操作を簡単に行なうことができる。
【発明を実施するための最良の形態】
【０００６】
分離物の取り外し操作が容易であるにも拘わらず美観を向上させるという目的を、部品収容室を形成する壁部に設けられた第２の開口と、この第２の開口に通じる部品収容空間と、分離物を保持するホルダとを備える構成によって実現した。
【実施例１】
【０００７】
次に本発明の実施例１について図面を参照して説明する。
本実施例では、電子機器が撮像装置で構成されている場合について説明する。
図１は実施例１の撮像装置を前方から見た斜視図、図２は実施例１の撮像装置を後方から見た斜視図、図３は撮像装置の制御系を示すブロック図である。
図１、図２に示すように、撮像装置１０は外装を構成する矩形板状のケース１０２を有し、ケース１０２は、前側ケース１０２Ａと後側ケース１０２Ｂとが合わせられて構成され、前側ケース１０２Ａによりケース１０２の前面が構成され、後側ケース１０２Ｂによりケース１０２の後面が構成されている。なお、本明細書においてケース１０２の左右はケース１０２を前方から見た状態でいうものとする。
ケース１０２の前面上部には撮影光学系１０４を収容する鏡筒１０６、撮影補助光を出射するフラッシュ１０８、セルフタイマーランプ１１０などが設けられている。
ケース１０２の前面にはカバー１１２が上下にスライド可能に設けられ、このカバー１１２は、図１に示すように鏡筒１０６、フラッシュ１０８、セルフタイマーランプ１１０を前方に露出させる下限位置と、これら鏡筒１０６、フラッシュ１０８、セルフタイマーランプ１１０を覆う上限位置とにスライドされる。
ケース１０２の上面の左寄り箇所には、シャッターボタン１１４、電源ボタン１１６などが設けられている。
ケース１０２の後面には静止画および動画などの画像や文字や記号などが表示されるディスプレイ１１８、撮影光学系１０４のズーミング動作を行なわせるためのズームスイッチ１２０、各種操作を行なうための十字スイッチ１２２および複数の操作ボタン１２４が設けられている。
ケース１０２の左側面には、撮像装置１０を静止画撮影モード、動画撮影モード、再生・編集モードなどに切り替えるためのモードスイッチ１２６が設けられている。
【０００８】
図３に示すように、撮像装置１０は、撮影光学系１０４によって結像された被写体像を撮像するＣＣＤやＣＭＯＳセンサなどで構成された撮像素子１２８を有している。
撮像素子１２８で撮像された像は撮像信号として画像処理部１３０に出力され、画像処理部１３０ではこの撮像信号に基づいて画像データが生成され、メモリカード（記憶媒体）１３２に記録される。また、前記画像データは表示処理部１３４によりディスプレイ１１８に表示される。
さらに、撮像装置１０は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
また、撮像装置１０には、バッテリー（充電式電池）１３８と二次電池１４０が設けられている。
バッテリー１３８は、ディスプレイ１１８、撮像素子１２８、画像処理部１３０、表示処理部１３４、制御部１３６などに電力を供給するように構成されている。
二次電池１４０は円盤状を呈し、撮像装置１０の電源がオフされている間、制御部１３６などの回路部に電力を供給することにより、前記回路部における設定内容などの各種情報の保持動作や時計動作のバックアップを行なわせるように構成されている。本実施例では、この円盤状の二次電池１４０が、電子機器１０の廃棄時に該電子機器１０から分離しなければならない分離物に相当している。
【０００９】
図４はケース１０２の下面を斜め後方から見た斜視図、図５はケース１０２の下面の要部を示す斜視図、図６は図５のＡ矢視図である。
図４、図５に示すように、ケース１０２内部には、メモリ収容室１２とバッテリー収容室１４（特許請求の範囲の部品収容室に相当）とがケース１０２の前後方向（厚さ方向）に並べて設けられている。
本実施例では、後側ケース１０２Ｂにハウジング１０３が組み込まれ、このハウジング１０３にバッテリー収容室１４や後述する開口１３、第１の開口１５、第２の開口２０が設けられている。
メモリ収容室１２は、ケース１０２の内部で後面寄り箇所に位置するように設けられ、ケース１０２の下面に位置するハウジング１０３箇所に設けられた矩形状の開口１３から矩形板状のメモリカード１３２を装脱可能に収容するように構成されている。
ハウジング１０３は、ケース１０２の内部で前面寄り箇所に位置するように設けられ、これによりバッテリー収容室１４は、ケース１０２の内部で前面寄り箇所に位置し、図６に示すように、バッテリー収容室１４は矩形板状の空間として形成されている。
バッテリー収容室１４は、バッテリー１３８の外形に対応した形状の壁部１８によりケース１０２の内部と仕切られるように形成されている。より詳細には、図７に概略斜視図で示すように、壁部１８は、収容されたバッテリー１３８の正面と背面にそれぞれ臨む正面壁１８０２および背面壁１８０４と、バッテリー１３８の先端面に臨む奥壁１８０６と、バッテリー１３８の両側面に臨む２つの側壁１８０８とで構成されている。
そして、ケース１０２の下面に位置するハウジング１０３箇所に設けられた矩形状の第１の開口１５から矩形板状のバッテリー１３８が装脱可能に収容されるように構成されている。
また、本実施例では、開口１３および第１の開口１５は、ケース１０２の下面に位置するハウジング１０３箇所にヒンジを介して連結された単一の開閉蓋１６によって開放および閉塞されるように構成されている。
【００１０】
図６に示すように、第１の開口１５近傍の一方の側壁１８０８箇所には第２の開口２０が設けられ、ケース１０２の内部にはこの第２の開口２０に通じる部品収容空間２４が設けられている。本実施例では、部品収容空間２４は、前記一方の側壁１８０８に接続された壁部２２によってケース１０２の内部と仕切られ、図８に示すように、部品収容空間２４はケース１０２の前面側が開放されている。
【００１１】
円盤状の二次電池１４０はホルダ２６に装脱可能に実装され、ホルダ２６とともに部品収容空間２４に収容される。
ホルダ２６は、第２の開口２０に装脱可能に取着されて該第２の開口２０を閉塞する第１の板部２８と、第１の板部２８が第２の開口２０を閉塞した状態で部品収容空間２４に延在する第２の板部３０とを備えている。
第２の板部３０は、第１の板部２８の両側からそれぞれ突出しそれらの先端が接続された周壁３００２と、この周壁３００２の先端の底部に設けられた底壁３００４とで構成されている。
本実施例では、ホルダ２６は、第１の板部２８が第２の開口２０を閉塞した状態で、第１の板部２８の表面が第２の開口２０の周囲の側面１８０８と同一面になるように形成され、かつ、第１の板部２８の端部が第１の開口２０に臨み、この第１の開口２０に臨む第１の板部２８の端部には、マイナスドライバーなどのような引っ掛け具が係止される溝２８０２が形成され、さらに、第１の開口２０に臨む第１の板部２８の端部には、前記引っかけ具を溝２８０２に案内する傾斜面２８０４が形成されている。
また、本実施例では、図８に示すように、周壁３００２の第１板部２８の近傍箇所には係合部３００６が形成され、該係合部３００６が第２の開口２０近傍箇所に設けられた不図示の係合部と係脱するように構成されている。また、図９に示すように、周壁３００２にはホルダ２６に装着された二次電池１４０の脱落防止用の２つの係止爪３００８が設けられている。
第１の開口１５、バッテリー収容室１４、第２の開口２０は、二次電池１４０が装着されたホルダ２６を部品収容空間２４からケース１０２の外部に移動できる大きさで形成されている。
【００１２】
次に、撮像装置１０の組み立てについて説明する。
図８は二次電池１４０およびホルダ２６の組立説明図、図９は二次電池１４０がホルダ２６に実装された状態を示す説明図、図１０は二次電池１４０およびホルダ２６が収容空間２４に収容された状態を示す説明図である。
まず、図８に示すように、二次電池１４０とフレキシブル基板３２とを接続する。
フレキシブル基板３２はＬ字状に形成され、二次電池１４０と前述した制御部１３６などの回路部とを電気的に接続するものであり、長さ方向の一端には接続孔３２０２が設けられ、長さ方向の他端には制御部１３６側のコネクタに接続される接続部３２０４が設けられている。また、フレキシブル基板３２の中間部には切り欠き３２０６が設けられており、フレキシブル基板３２が長さ方向の応力を受けたときに容易に破断されるように構成されている。
図８に示すように、二次電池１４０の上面および下面に形成された各電極にはそれぞれ導電材料で構成された接続端子１４１がスポット溶接などによって予め固定されており、これら接続端子１４１をフレキシブル基板３２の接続孔３２０２に挿通し接続端子１４１と接続孔３２０２とを半田付けし、フレキシブル基板３２の接続部３２０４を前記コネクタに接続する。
次いで、ホルダ２６を第１の開口１５からバッテリー収容室２４へ挿入し、ホルダ２６の第２の板部３０を第２の開口２０へ挿入する。これにより、ホルダ２６の係合部３００６が側壁２２の前記係合部に係合することで、第１の板部２８が第２の開口２０を閉塞した状態が保持され、この状態でホルダ２６の第２の板部３０はバッテリー収容室２４の外側に突出する。
ここで、図９、図１０に示すように、フレキシブル基板３２に接続された二次電池１４０をホルダ２６の第２の板部３０に装着する。このようにしてハウジング１０３に二次電池１４０およびホルダ２６が組付けられる。
次いで、この状態のハウジング１０３を後側ケース１０２Ｂに組付ける。これにより、二次電池１４０はホルダ２６とともに部品収容空間２４に配置されることになる。
そして、後側ケース１０２Ｂに前側ケース１０２Ａを組付けることで撮像装置１０が組み立てられ、これによりハウジング１０３の側壁２２と前側ケース１０２Ｂとの間に二次電池１４０を収容する部品収容空間２４が形成されることになる。
【００１３】
次に、二次電池１４０の撮像装置１０からの分離について説明する。
図１１は二次電池１４０の分離作業の説明図である。
図１１（Ａ）に示すように、開閉蓋１６を開いて第１の開口１５を開放し、バッテリー収容室１４からバッテリー１３８をケース１０２の外方に抜き出す。
次いで、図１１（Ｂ）に示すように、マイナスドライバーなどの引っかけ具２の先端をホルダ２６の案内面２８０４を介して溝２８０２に挿入しその状態で引っかけ具２を回転させると、第１の壁部２８が第２の開口２０から外れ、ホルダ２６が部品収容空間２４からバッテリー収容室１４に動かされる。このとき、ホルダ２６の係合部３００６と側壁２２の前記係合部との係合が解除される。
ホルダ２６が部品収容空間２４からバッテリー収容室１４に動かされると、フレキシブル基板３２には該フレキシブル基板３２を引っ張る方向の力が作用し、これによりフレキシブル基板３２は切り欠き３２０６の部分から容易に破断される。
または、ここで図８に示す切り欠き３２０６を設けられなくても、ホルダ２６が動かされると、二次電池１４０が引き出される方向と直交する方向にフレキシブル基板３２を折り畳む構成とされているので、この折り畳みの折れ目の部分に捻じ切る力が働き、フレキシブル基板３２をこの部分から容易に破断することができる。
フレキシブル基板３２が破断されると、ホルダ３０と該ホルダ３０に保持された二次電池１４０は第２の開口２０を介してバッテリー収容室１４に引き出され、さらにバッテリー収容室１４から第１の開口１５を介してケース１０２の外方に取出される。
このようにして二次電池１４０が撮像装置１０から分離される。
【００１４】
以上説明したように本実施例によれば、バッテリー収容室１４を形成する壁部１８に第２の開口２０が設けられ、ケース１０２の内部に第２の開口２０に通じる部品収容空間２４が設けられ、第２の開口２０に装脱可能に取着されて該第２の開口２０を閉塞する第１の板部２８と、第１の板部２８から突出し該第１の板部２８が第２の開口２０を閉塞した状態で部品収容空間２４に延在する第２の板部３０とを備えたホルダ２６が設けられ、ホルダ２６に二次電池１４０が保持される構成としたので、これら第２の開口２０やホルダ２６がケース１０２の外方に露出しない。このため、撮像装置１０の美観を損ねることがなく、また、撮像装置１０の廃棄時にはホルダ２６とともに二次電池１４０を部品収容空間２４から取出すことができるので二次電池１４０の取り外し操作を簡単に行なうことができる。
また、本実施例によれば、ホルダ２６の第１の板部２８が第２の開口２０を閉塞した状態で、第１の板部２８の端部は第１の開口２０に臨み、この第１の開口２０に臨む第１の板部の端部には、マイナスドライバーなどのような引っ掛け具が係止される溝２８０２を設けたので、引っ掛け具を溝２８０２に係合して該引っ掛け具を操作するだけでホルダ２６を部品収容空間２４から取出すことができるため、二次電池１４０を分離する際の作業性を向上する上で有利である。
また、本実施例では、第１の板部２８が第２の開口２０を閉塞した状態で、第１の板部２８の表面は、第２の開口２０の周囲の壁面である側壁１８０８と同一面になるように形成されているので、バッテリー１３８をバッテリー収容室１４に対して装脱する際に第１の板部２８の表面がバッテリー１３８の外面を案内することになり、バッテリー１３８の装脱を円滑に行なう上で有利となる。
また、本実施例では、フレキシブル基板３２に二次電池１４０を接続した部分組立品を予め用意しておき、これら部分組立品をホルダ２６に装着することができるので、二次電池１４０およびホルダ２６の組付け作業の効率化を図る上で有利である。
【００１５】
なお、本実施例では、第１の開口１５が開閉蓋１６によって開閉される構成について説明したが、開閉蓋１６が無い場合であっても、また、第２の開口２８が直接体裁面に露出する場合であっても上述した効果を奏することは無論である。
また、本実施例では、第２の開口２０を、バッテリー収容室１４を構成する壁部１８の２つの側壁１８０８の一方に設けたが、第２開口２０を設ける箇所は、他方の側壁１８０８、正面壁１８０２、背面壁１８０４のいずれであってもよい。
また、本実施例では、第２の開口２０をバッテリー収容室１４の壁部１８に設けたが、第２開口２０を設ける箇所は、メモリ収容室１２を構成する壁部であってもよい。また、撮像装置１０に、電子機器と電気的に接続されることにより動作するアダプタの収容室が設けられている場合には、第２の開口２０を前記アダプタの収容室を構成する壁部に設けてもよい。
また、本実施例では、フレキシブル基板３２が破断され易いように切り欠き３２０６を用いたが、切り欠き３２０６を用いずに、フレキシブル基板３２の折り畳み部が捻じ切られるようにしてもよいし、また、例えば、肉厚を薄くした肉薄部をフレキシブル基板３２に設けてもよく、フレキシブル基板３２を破断されやすくするための構成は種々考えられる。
また、フレキシブル基板３２によって二次電池１４０と制御部１３６とを接続したが、フレキシブル基板３２に代えてリード線を用いてもよく、リード線を用いた場合には該リード線が容易に破断されるようにリード線の強度を設定しておけばよい。
また、本実施例では、バッテリー収容室１４が矩形板状のバッテリー１３８を収容する場合について説明したが、バッテリーの形状は角柱状であっても、あるいは円筒状など曲面を有する形状であってもよい。また、バッテリー１３８に代えて種々の乾電池を用いてもよい。
また、本実施例では、二次電池を分離する場合について述べたが、本発明は一次電池やカメラのフラッシュ用のコンデンサなど種々の電気部品を分離する場合についても無論適用可能である。
また、本実施例においては、電子機器として撮像装置を例示したが、本発明は種々の電子機器に適用可能である。
【図面の簡単な説明】
【００１６】
【図１】実施例１の撮像装置を前方から見た斜視図である。
【図２】実施例１の撮像装置を後方から見た斜視図である。
【図３】撮像装置の制御系を示すブロック図である。
【図４】ケース１０２の下面を斜め後方から見た斜視図である。
【図５】ケース１０２の下面の要部を示す斜視図である。
【図６】図５のＡ矢視図である。
【図７】バッテリー収容室１４の概略斜視図である。
【図８】二次電池１４０およびホルダ２６の組立説明図である。
【図９】二次電池１４０がホルダ２６に実装された状態を示す説明図である。
【図１０】二次電池１４０およびホルダ２６が収容空間２４に収容された状態を示す説明図である。
【図１１】二次電池１４０の分離作業の説明図である。
【符号の説明】
【００１７】
１０……撮像装置、１４……バッテリー収容室、１５……第１の開口、１８……壁部、２０……第２の開口、２４……部品収容空間、２６……ホルダ、２８……第１の板部、３０……第２の板部、１０２……ケース、１４０……二次電池。
【図１】
2005123051.tif 000003
【図２】
2005123051.tif 000004
【図３】
2005123051.tif 000005
【図４】
2005123051.tif 000006
【図５】
2005123051.tif 000007
【図６】
2005123051.tif 000008
【図７】
2005123051.tif 000009
【図８】
2005123051.tif 000010
【図９】
2005123051.tif 000011
【図１０】
2005123051.tif 000012
【図１１】
2005123051.tif 000013
【手続補正書】
【提出日】平成16年8月31日(2004.8.31)
【手続補正１】
【補正対象書類名】特許請求の範囲
【補正対象項目名】全文
【補正方法】変更
【補正の内容】
【特許請求の範囲】
【請求項１】
外装を構成するケースと、
前記ケースの内部に設けられ前記ケースの外面に開放された第１の開口から部品が装脱可能に収容される部品収容室とを有する電子機器であって、
前記部品収容室を形成する壁部に第２の開口が設けられ、
前記ケースの内部に前記第２の開口に通じる部品収容空間が設けられ、
前記第２の開口に装脱可能に取着されて該第２の開口を閉塞する第１の板部と、前記第１の板部から突出し該第１の板部が前記第２の開口を閉塞した状態で前記部品収容空間に延在する第２の板部とを備えたホルダが設けられ、
前記ホルダには、分離物が保持され、
前記第１の開口、部品収容室、第２の開口は、前記分離物が保持されたホルダを前記部品収容空間から前記ケースの外部に移動できる大きさで形成されている、
ことを特徴とする電子機器。
【請求項２】
前記分離物は、前記電子機器の廃棄時に該電子機器から分離しなければならない二次電池または電気部品であることを特徴とする請求項1記載の電子機器。
【請求項３】
前記第１の板部が第２の開口を閉塞した状態で、前記第１の板部の表面は、前記第２の開口の周囲の壁面と同一面になるように形成されていることを特徴とする請求項１記載の電子機器。
【請求項４】
前記第１の板部が第２の開口を閉塞した状態で、前記第１の板部の端部は前記第１の開口に臨み、この第１の開口に臨む前記第１の板部の端部に溝が形成されていることを特徴とする請求項１記載の電子機器。
【請求項５】
前記溝は、マイナスドライバーなどのような引っ掛け具が係止されることを特徴とする請求項４記載の電子機器。
【請求項６】
前記第２の開口は、前記第１の開口の近傍に設けられていることを特徴とする請求項１記載の電子機器。
【請求項７】
前記部品収容室は、前記電子機器に電力を供給する充電式電池あるいは乾電池の収容室であることを特徴とする請求項１記載の電子機器。
【請求項８】
前記部品収容室は、前記電子機器との間でデータのやりとりを行なう記憶媒体、または前記電子機器と電気的に接続されることにより動作するアダプタの収容室であることを特徴とする請求項１記載の電子機器。
【請求項９】
前記分離物はフレキシブル基板あるいはリード線を介して前記電子機器に設けられた回路部に接続され、前記保持部材とともに前記分離物を前記収容空間からケースの外部に引き出すことにより前記フレキシブル基板あるいはリード線は破断されるように構成されていることを特徴とする請求項１記載の電子機器。
【請求項１０】
前記第１の開口を開閉する開閉蓋が設けられていることを特徴とする請求項１記載の電子機器。
【請求項１１】
前記部品収容室は前記ケースに組み込まれたハウジング内に設けられ、前記壁部および第１の開口並びに第２の開口は前記ハウジングに設けられていることを特徴とする請求項１記載の電子機器。
【手続補正２】
【補正対象書類名】明細書
【補正対象項目名】０００４
【補正方法】変更
【補正の内容】
【０００４】
上述の目的を達成するため、本発明の電子機器は、外装を構成するケースと、前記ケースの内部に設けられ前記ケースの外面に開放された第１の開口から部品が装脱可能に収容される部品収容室とを有する電子機器であって、前記部品収容室を形成する壁部に第２の開口が設けられ、前記ケースの内部に前記第２の開口に通じる部品収容空間が設けられ、前記第２の開口に装脱可能に取着されて該第２の開口を閉塞する第１の板部と、前記第１の板部から突出し該第１の板部が前記第２の開口を閉塞した状態で前記部品収容空間に延在する第２の板部とを備えたホルダが設けられ、前記ホルダには、分離物が保持され、前記第１の開口、部品収容室、第２の開口は、前記分離物が保持されたホルダを前記部品収容空間から前記ケースの外部に移動できる大きさで形成されていることを特徴とする。
【手続補正３】
【補正対象書類名】明細書
【補正対象項目名】０００５
【補正方法】変更
【補正の内容】
【０００５】
そのため、本発明によれば、第２の開口やホルダがケースの外方に露出しないため、電子機器の美観を損ねることがなく、また、電子機器の廃棄時にはホルダとともに分離物を部品収容空間から取出せるので分離物の取り外し操作を簡単に行なうことができる。